(57)【要約】【課題】２個の光源ユニットを備えた照明装置において、一方の光源ユニットの発光面積を維持した照明装置を提供する。【解決手段】光を出射する第１光源ユニット１０と、光を出射する第２光源ユニット２００とを備え、前記第２光源ユニット２００の少なくとも一部は、前記第１光源ユニット１０から出射される光の出射方向に配置されており、第１光源ユニット１０から出射される光の一部を遮る位置に配置されている。前記第１光源ユニット１０は、光を出射する第１出光部（カバー１３）を備え、前記第２光源ユニット２００は、前記第１出光部が出射した光の一部を遮る位置に配置されている。【選択図】図１
2019175614.tif 000002
【特許請求の範囲】
【請求項１】
光を出射する第１光源ユニットと、
光を出射する第２光源ユニットと
を備え、
前記第２光源ユニットの少なくとも一部は、前記第１光源ユニットから出射される光の出射方向に配置されている照明装置。
【請求項２】
前記第２光源ユニットの少なくとも一部は、前記第１光源ユニットから出射される光の一部を遮る位置に配置されている請求項１に記載の照明装置。
【請求項３】
前記第１光源ユニットは、光を出射する第１出光部を備え、
前記第２光源ユニットは、前記第１出光部が出射した光の一部を遮る位置に配置されている請求項１又は２に記載の照明装置。
【請求項４】
前記第２光源ユニットは、ユニットカバー部を備え、
前記ユニットカバー部の少なくとも一部が、前記第１光源ユニットから出射される光の出射方向に配置されている請求項１から３のいずれか１項に記載の照明装置。
【請求項５】
前記第２光源ユニットは、前記第１光源ユニットの全周囲を覆っている請求項１から４のいずれか１項に記載の照明装置。
【請求項６】
前記第２光源ユニットは、前記第１光源ユニットの３面を覆っている請求項１から４のいずれか１項に記載の照明装置。
【請求項７】
前記第１光源ユニットを一方の面に取り付け、他方の面が被取付面に対向して固定される器具本体を備え、
前記第２光源ユニットは、前記器具本体の他方の面に固定された底面取付部を有する請求項１から６のいずれか１項に記載の照明装置。
【請求項８】
前記第１光源ユニットを取り付けた器具本体を備え、
前記第２光源ユニットは、前記器具本体の側面部に固定されている請求項１から７のいずれか１項に記載の照明装置。
【請求項９】
前記第２光源ユニットは、連結された複数の照明装置の連結部分に固定されている請求項１から８のいずれか１項に記載の照明装置。
【請求項１０】
前記第１光源ユニットは、光を出射する複数の出光域からなる第１出光部を備え、
前記第２光源ユニットは、前記複数の出光域からなる第１出光部が出射した光の一部を遮る位置に配置されている請求項１から９のいずれか１項に記載の照明装置。
【請求項１１】
サブユニットを備え、
前記第２光源ユニットの少なくとも一部は、前記サブユニットの配置部分に対して、第１光源ユニットから出射される光の出射方向に配置されている請求項１から１０のいずれか１項に記載の照明装置。
【請求項１２】
前記第１光源ユニットを取り付けた器具本体を備え、
前記器具本体は、前記第２光源ユニットを選択的に固定する複数の固定孔を有する請求項１から１１のいずれか１項に記載の照明装置。
【請求項１３】
前記第１光源ユニットと前記第２光源ユニットとは、異なる電力供給系統から供給される電力により点灯される請求項１から１２のいずれか１項に記載の照明装置。
【請求項１４】
光を出射する第１光源ユニットと、光を出射する第２光源ユニットとを備えた照明装置の組み立て方法において、
前記第２光源ユニットを、前記第１光源ユニットから出射される光の出射方向に配置する照明装置の組み立て方法。
【発明の詳細な説明】
【技術分野】
【０００１】
この発明は、照明装置及び照明装置の組み立て方法に関する。
【背景技術】
【０００２】
従来、天井又は壁面に取り付けられる照明器具の一例として、常用光源ユニットと非常用光源ユニットが同一の筐体内に取り付けられた、非常灯組み込み形照明器具がある。
【０００３】
特許文献１に記載された照明器具は、長尺に形成され点灯装置を備えた光源ユニットと、非常用光源ユニットと、光源ユニットの一部と非常用光源ユニットとが収容される凹部を有する器具本体部とを備える照明器具が記載されている。
【０００４】
この照明器具は、なんらかの理由で商用電源からの電力供給が停止され光源ユニットが点灯できない非常時に、非常用電源である蓄電池を電源として非常用光源ユニットを点灯させる。
【先行技術文献】
【特許文献】
【０００５】
【特許文献１】特開２０１７−０９２００７号公報
【特許文献２】特開２０１５−８８４３３号公報
【特許文献３】特開２０１７−４５６１４号公報
【発明の概要】
【発明が解決しようとする課題】
【０００６】
特許文献１の照明器具では、非常用光源ユニットが光源ユニットの短手方向に並設されているため、照明器具の重心が器具本体の短手外形中心に対し、どちらか一方に偏心することが考えられる。この状態で器具本体を被取付部に取り付けると、照明器具が短手方向のどちらか一方に傾斜してしまい、配光性能又は意匠性が悪化することが考えられる。
【０００７】
一方、特許文献２の照明器具では、凹部の内側には、器具本体を被取付部に取り付けるためのボルト等の取付具、照明器具の外部に設けられた商用電源から電力供給をうけるために引き込まれた電線ケーブル、光源ユニットを器具本体に取り付ける取付手段等も収納されている。更に、凹部の内側には、部材同士を電気的に接続する複数の電線も収容されており、凹部の内部に収容された部材、電線が、互いに干渉することが考えられる。
【０００８】
また、凹部は長手方向において器具本体と同等の寸法に形成されており、凹部には光源ユニットと、非常用光源ユニットとが長手方向で並設されている。
常用時には、光源ユニットしか点灯しないので、長手方向に非常用光源ユニットを配置した場合、器具本体の長手方向の長さに対して発光面積が少なくなる。また、非常灯の器具長さを常用灯器具と同じ長さにすると、長手方向に非常用光源ユニットを配置した場合は光源ユニットを短くしなくてはならない。
【０００９】
本発明は、２個の光源ユニットを備えた照明装置において、一方の光源ユニットの発光面積を維持した照明装置の提供を目的とする。
【課題を解決するための手段】
【００１０】
本発明の一態様に係る照明装置は、
光を出射する第１光源ユニットと、
光を出射する第２光源ユニットと
を備え、
前記第２光源ユニットの少なくとも一部は、前記第１光源ユニットから出射される光の出射方向に配置されている。
【発明の効果】
【００１１】
本発明の一態様に係る照明装置によれば、第２光源ユニットの少なくとも一部が、第１光源ユニットから出射される光の出射方向に配置されているので、第１光源ユニットの発光面積を維持することができる。
【図面の簡単な説明】
【００１２】
【図１】実施の形態１の照明装置を示す斜視図である。
【図２】実施の形態１の照明装置を示す４面図である。
【図３】実施の形態１の照明装置を示す分解斜視図である。
【図４】実施の形態１の照明装置を示す断面図である。
【図５】実施の形態１の第１光源ユニットを示す図で、第１光源ユニットの斜視図であり、（ａ）は点灯装置側から見た斜視図、（ｂ）はカバー側から見た斜視図である。
【図６】実施の形態１の第１光源ユニットを示す図で、連結具、点灯装置を省略した分解斜視図である。
【図７】実施の形態１の光源ユニットに配置される連結具の斜視図である。
【図８】実施の形態１の器具本体に配置されるバネの斜視図である。
【図９】実施の形態１の第２光源ユニットの分解斜視図である。
【図１０】実施の形態１の照明装置を示す図で、Ｘ２方向からみたユニットカバー部の図である。
【図１１】実施の形態１の照明装置を示す図で、第２光源ユニットの器具本体への取付方法を示す斜視図である。
【図１２】実施の形態１の器具本体及び第２光源ユニットの配線図である。
【図１３】実施の形態２の照明装置を示す斜視図である。
【図１４】実施の形態２の照明装置を示す４面図である。
【図１５】実施の形態２の照明装置を示す分解斜視図であり、ユニットカバー部を可動させた状態を示す図である。
【図１６】実施の形態２の照明装置を示す断面図である。
【図１７】実施の形態２の第２光源ユニットの分解斜視図である。
【図１８】実施の形態２の照明装置を示す図で、第２光源ユニットの器具本体への取付方法を示す斜視図である。
【図１９】実施の形態３の照明装置を示す斜視図である。
【図２０】実施の形態３の照明装置を示す別の斜視図である。
【図２１】実施の形態４の照明装置を示す断面図である。
【図２２】実施の形態４の照明装置を示す断面図である。
【図２３】実施の形態４の照明装置を示す断面図である。
【図２４】実施の形態５の照明装置を示す斜視図である。
【図２５】実施の形態６の照明装置を示す斜視図である。
【図２６】実施の形態６の照明装置を示す断面図である。
【図２７】実施の形態６の照明装置を示す斜視図である。
【図２８】実施の形態６の照明装置を示す断面図である。
【図２９】実施の形態７の照明装置を示す斜視図である。
【図３０】実施の形態８の照明装置を示す斜視図である。
【発明を実施するための形態】
【００１３】
実施の形態１．
＊＊＊構成の説明＊＊＊
図１〜図１２を参照して実施の形態１における照明装置の構成について説明を行う。
本実施の形態では、照明装置の一例として、天井等の被取付部に取り付けられる、トラフ型の照明装置１について説明する。実施の形態１で説明する照明装置１は、図１のように長尺状である。
以下の実施の形態では、図１に示すように、照明装置１において、長手方向をＸ、短手方向をＹと決め、長手方向Ｘ、短手方向Ｙのように記す。また、長手方向Ｘに直交し、かつ、第１光源ユニット１０から器具本体１００に向かう方向をＺ１方向、その反対方向をＺ２方向とする。また、長手方向Ｘにおいて、本体取付面１１１（本体底面部）の長手方向における略中心に位置する電源孔１１１ａから端子台１３０へ向かう方向をＸ１、その反対方向をＸ２とする。以下に説明する第１光源ユニット１０及び器具本体１００も長尺状であり、長手方向Ｘ等は照明装置１と同様とする。
【００１４】
（照明装置１に関して）
図１〜図４のように、照明装置１は、長尺状に形成された第１光源ユニット１０と、器具本体１００と、第２光源ユニット２００とを備えている。
照明装置１は、第１光源ユニット１０と器具本体１００とにより、常用の照明具を構成している。
照明装置１は、第２光源ユニット２００により、非常用の照明具を構成している。
器具本体１００は、第１光源ユニット１０を一方の面に取り付け、他方の面が天井等の被取付面に対向して固定される。
器具本体１００は本体凹部１１０を有する。
本体凹部１１０は、被取付部に当接するように被取付部に設置され、第１光源ユニット１０の一部が収容されると共に第１光源ユニット１０が脱着可能に取り付けられた長尺状である。
【００１５】
（第１光源ユニット１０に関して）
図５〜図７を参照して、第１光源ユニット１０を説明する。なお、図６では連結具１５と点灯装置１６の図示を省略している。第１光源ユニット１０は、発光体１１、フレーム１２、カバー１３、光源蓋部１４、連結具１５、及び、点灯装置１６を備えている。
（１）発光体１１は、複数の発光素子１１ａと複数の発光素子１１ａが実装されている基板１１ｂとからなる。この実施の形態では、発光素子１１ａはＬＥＤである。なお発光素子１１ａはＬＥＤに限らず、有機ＥＬあるいはレーザ等の発光素子でもよい。発光体１１は発光モジュールと呼ばれる場合もあり、発光素子にＬＥＤを用いる場合はＬＥＤモジュールと呼ばれる場合がある。
（２）フレーム１２は、発光体１１が取り付けられる。
（３）カバー１３は、フレーム１２に発光体１１を覆うように取り付けられると共に、発光体１１から照射される光を拡散制御する。
（４）光源蓋部１４は、カバー１３の長手方向端部を覆う。
（５）連結具１５が器具本体１００に配置されたバネ１４０と連結することで、第１光源ユニット１０が器具本体１００に固定される。
（６）点灯装置１６は、発光体１１を点灯させる。
【００１６】
発光体１１は、複数の発光素子１１ａと、複数の発光素子１１ａを実装する基板１１ｂを有している。発光体１１は、照明装置１の長手方向Ｘにおける全長と略同等となるような長尺状に形成されている。発光素子１１ａは基板１１ｂの長手方向Ｘへ直線状に配置されている。
図６では発光素子１１ａは２列であるが、発光素子１１ａは３列以上でもよいし１列でもよい。
【００１７】
フレーム１２は、発光体１１が取り付けられる略矩形状をしたフレーム正面部１２ａと、フレーム正面部１２ａの長手方向Ｘの両側の辺を基端部として垂直状に突き出した一対のフレーム側面部１２ｂとを有しており、フレーム１２は長尺状に形成されている。また、フレーム正面部１２ａの発光体１１が取り付けられた取付面１２ａａの裏側となる背面１２ａｂには、連結具１５及び点灯装置１６が配置されている。
【００１８】
カバー１３は、円弧部１３ａ、把持部１３ｂ、及び、係合部１３ｃを有している。カバー１３はポリカーボネート等の樹脂部材から形成されている。
（１）円弧部１３ａは、長手方向Ｘを法線方向とする切断面の断面において、発光体１１を覆うように円弧状に形成されている。
（２）把持部１３ｂは、円弧部１３ａの両端から凹み形状に起立して形成されており、作業者が第１光源ユニット１０を器具本体１００に着脱する際に作業者に把持される。
（３）係合部１３ｃは、略コの字状であり、把持部１３ｂの端部に形成されており、フレーム側面部１２ｂに係合する。
カバー１３は長尺に形成されており、円弧部１３ａ、把持部１３ｂ、及び、係合部１３ｃの各部が、長手方向Ｘに連続して形成されている。
【００１９】
光源蓋部１４は、カバー１３とフレーム１２とによって形成される長手方向Ｘの端部の開口を塞ぐ。
【００２０】
図７のように、連結具１５は、略Ｌ字形状をしており、フレーム背面１２ａｂにねじ又は嵌め殺し等により係止される。連結具１５は、フレーム背面１２ａｂに固定される連結具固定部１５ａと、連結具固定部１５ａの側辺より略垂直に突き出しており、後述するバネ１４０のバネ円弧部１４１が挿し込まれて係合する連結具開口部１５ｂａが形成された連結部１５ｂとを有している。
【００２１】
図５のように、点灯装置１６は、器具本体１００に配置された端子台１３０を介して商用電源からの電力を発光体１１に供給し、発光体１１を点灯させる。点灯装置１６は、図示しない電源回路が内蔵され長尺形状をなす点灯装置本体１６ａと、端子台側接続部１３２と接続する第１光源ユニット側接続部１６ｂを備えている。
図５のように、第１光源ユニット側接続部１６ｂは、第１光源ユニット側電線１６ｂａと、第１光源ユニット側電線１６ｂａの先端に設けられ第１光源ユニット側コネクタ１６ｂｂを備えている。
【００２２】
（器具本体１００に関して）
図４のように、器具本体１００は、長尺状に形成されており長手方向Ｘを法線方向とする切断面の断面が凹形状をした本体凹部１１０と、本体凹部１１０の短手方向Ｙにおいて、本体凹部１１０に第２光源ユニット２００の少なくとも一部が隣接している。
【００２３】
本体凹部１１０は、長尺状に形成されており、図３と図４のように、長手方向Ｘを法線方向とする切断面の断面が凹形状をしている。本体凹部１１０は、本体凹部１１０の長手方向Ｘの端面を塞ぐ一対の端板部１２０と、本体凹部１１０の凹形状の内側に配置される端子台１３０と、バネ１４０を有している。
【００２４】
本体凹部１１０は、凹形状の底面部に相当し、略矩形状をした本体取付面１１１と、凹形状の側壁に相当し、本体取付面１１１の長手方向Ｘに向かうそれぞれの側辺を基端部として互いに対向して立ち上がる第一の側面部１１２、第二の側面部１１３を備える。本体取付面１１１には、外部から電源線４００を引き込むための電源孔１１１ａと、器具本体１００をボルト等の取付具により天井等の被取付部に取り付けをするための取付孔１１１ｂとが形成されている。つまり、図３のように、本体凹部１１０は、取付具を通すための一対の取付孔１１１ｂが、端子台１３０と電源孔１１１ａとを長手方向Ｘで挟む位置に形成されている。第一の側面部１１２には、連通部１１２ａ（図９）が形成されている。このように、本体凹部１１０は、電源線４００が引き込まれる電源孔１１１ａが形成されていると共に、長手方向Ｘに沿って電源孔１１１ａに隣接して配置され、電源線４００が接続される端子台１３０を有する。電源孔１１１ａは、本体凹部１１０の長手方向Ｘの略中央に配置されている。
【００２５】
図３のように、端板部１２０は、本体凹部１１０の長手方向Ｘの端面を覆う。端板部１２０は、ノックアウト加工により取外し可能に形成された端板蓋部１２１を有している。
【００２６】
図１２のように、端子台１３０は、外部から引き込まれた電源線４００が接続され、第１光源ユニット１０及び第２光源ユニット２００に電力を供給する。端子台１３０は、矩形箱状に形成された端子台本体１３１と、点灯装置１６の第１光源ユニット側接続部１６ｂに電気的に接続する端子台側接続部１３２とを備えている。端子台本体１３１は、出力端子１３１ｂを複数有している。複数設けられた出力端子１３１ｂの１つには、端子台側接続部１３２が接続される。他の出力端子１３１ｂには、後述する第２光源ユニット２００の第２点灯装置２３０と接続する電源線４００が接続される。端子台側接続部１３２は、端子台側電線１３２ａと、端子台側電線１３２ａの先端に設けられた端子台側コネクタ１３２ｂとを備えている。
【００２７】
図８のように、バネ１４０は、後述する第１光源ユニット１０に設けられた連結具１５と連結する。バネ１４０は、円弧形状をしたバネ円弧部１４１と、本体凹部の本体取付面１１１に当接し固定されるバネ固定部１４２と、バネ円弧部１４１の先端に設けられたバネ爪部１４３とを有している。バネ１４０は、連結具１５の連結具開口部１５ｂａにバネ円弧部１４１が挿し込まれ、バネ円弧部１４１が連結具開口部１５ｂａの縁１５ｂａａ（図７）を摺動することで、第１光源ユニット１０の一部が本体凹部１１０に収容されるように第１光源ユニット１０を本体凹部１１０の凹形状の空間に引き込む。
【００２８】
（第２光源ユニット２００に関して）
図９〜１２を参照して第２光源ユニット２００を説明する。
第２光源ユニット２００は、ユニット外郭部２１０、第２光源部２２０、第２点灯装置２３０、蓄電池２４０、及び、点検スイッチ２５０を備えている。ユニット外郭部２１０は、略ロの字形状であり外郭をなす。第２光源部２２０は、ユニット外郭部２１０の内側に収容され、非常用光源の機能を果たす。また、図示しないが、第２光源ユニット２００は、蓄電池２４０が正常に充電されているかどうか表示するモニタ用ランプを備えている。
【００２９】
ユニット外郭部２１０は、本体凹部１１０の本体取付面１１１と短手方向に並ぶように配置されるユニット底面部２１１と、蓋のない略箱形状をしたユニットカバー部２１２とを有している。ユニット外郭部２１０は不燃材により形成されており、この実施の形態では、ユニット外郭部２１０は金属部材で形成されている。
【００３０】
ユニット外郭部２１０のうち、ユニットカバー部２１２と底面配置部２１１ａと後述する光源ユニット取付部２２５により、第２光源ユニットの第２点灯装置２３０へ端子台１３０より電力を伝達するための電源線４００等の各部品を収納する収容部３００を構成する。
【００３１】
図１０のように、ユニット底面部２１１は、底面配置部２１１ａ（配置面２１１ａ−１と配置面２１１ａ−２）、底面取付部２１１ｂ、側面取付部２１１ｃ・２１１ｄを有する。この実施の形態では、底面配置部２１１ａと底面取付部２１１ｂとは一体である。底面配置部２１１ａは、ユニット底面部２１１のうち、図１０に示す破線Ｄ、Ｆの範囲の部分である。また底面取付部２１１ｂは、ユニット底面部２１１のうち、図１０に示す破線Ｅの範囲の部分である。後述する蓄電池カバー２６０は、ユニットカバー部２１２の蓋の役割を持つ。底面取付部２１１ｂは、ユニットカバー部２１２及び側面取付部２１１ｃ・２１１ｄ及び光源ユニット取付部２２５及び蓄電池カバー２６０からなる収容部３００を本体凹部１１０に取り付ける役割を持つ。収容部３００内には、第２光源部２２０と、第２点灯装置２３０、蓄電池２４０、点検スイッチ２５０が配置される。底面取付部２１１ｂでは、本体取付面１１１に対向する当接面２１１ｂ−１が、本体取付面１１１に突き当たった状態で接しており、底面取付部２１１ｂが本体取付面１１１の固定されることで、第２光源ユニット２００が本体凹部１１０に固定される。図２のように、底面取付部２１１ｂは、電源孔１１１ａと連通する底面電源孔２１１ｂａと、第二の側面部１１３側に形成された第一固定孔２１１ｂｂと、第一の側面部１１２側に形成された第二固定孔２１１ｂｃを有する。
【００３２】
なお、この実施の形態では、底面配置部２１１ａと底面取付部２１１ｂと側面取付部２１１ｃ・２１１ｄとは一体の部材であるが、底面配置部２１１ａと底面取付部２１１ｂと側面取付部２１１ｃ・２１１ｄとを別々の部材としてもよい。
【００３３】
図１０と図１２のように、ユニットカバー部２１２は、ユニット正面部２１３と、ユニット側面部２１４とを有している。ユニット正面部２１３は、レンズ開口２１３ａが形成されている部分であり、ユニット正面部２１３以外がユニット側面部２１４である。ユニット側面部２１４は、第１のユニット側面部２１４−１、第２のユニット側面部２１４−２，第３のユニット側面部２１４−３、第４のユニット側面部２１４−４がある。ユニット正面部２１３は、ユニット底面部２１１の底面配置部２１１ａと対向する。ユニット側面部２１４は箱形状であるユニットカバー部２１２の各側面であり、底面配置部２１１ａと、ユニット正面部２１３との間に位置する。ユニット正面部２１３には、後述する第２光源部２２０のレンズ２２３が露出するように配置されたレンズ開口２１３ａと、点検スイッチ２５０の操作部が露出するように配置されたスイッチ開口２１３ｂと、モニタ用ランプを外郭側から視認するためのモニタランプ開口部２１３ｃが設けられている。
【００３４】
図９のように、光源ユニット取付部２２５のうち、本体凹部１１０の第一の側面部１１２と対向する取付部側面部２２５−１と、本体凹部１１０の第二の側面部１１３と対向する取付部側面部２２５−２とは、器具隣接壁部２１５である。器具隣接壁部２１５は、端子台１３０から第２点灯装置２３０への入出力の電線５００の通線のための形状に形成されている。
具体的には、図４のように、第一の側面部１１２と対向する取付部側面部２２５−１に２個の電線孔２２５ｃと電線孔２２５ｄを形成しておく。
そして、電線５００を電線孔２２５ｃから取付部側面部２２５−１とユニット底面部２１１の間に引出し、取付部側面部２２５−１とユニットカバー部２１２の間に配線し、電線孔２２５ｄから収容部３００に引き込むようにする。
【００３５】
図９のように、第２光源部２２０は、発光素子２２１が実装された基板２２２と、実装された発光素子２２１の前方に配置されるガラス製のレンズ２２３と、基板２２２とレンズ２２３とが設置される光源設置台２２４を有する。第２光源部２２０は、光源ユニット取付部２２５にシート状の熱伝導素子２２６を介して取り付けられる。レンズ２２３は、発光素子２２１が照射する光を広角に配光するレンズであり、例えば非常用光源部として必要な範囲へ照射する配光特性を有している。この実施の形態ではバッドウィング形の配光特性を有している。光源ユニット取付部２２５は、放熱効果も有する。
【００３６】
図９のように、第２点灯装置２３０は、略直方体形状をした非常用の第２点灯装置本体２３１と、装置側接続部２３２とを有している。装置側接続部２３２は、装置側電線２３２ａと装置側電線２３２ａの端部に取り付けられて蓄電池２４０に接続している装置側コネクタ２３２ｂとを有している。装置側コネクタ２３２ｂは後述の蓄電池側コネクタ２４２ｂと接続する。
【００３７】
第２点灯装置２３０は、商用電源等の外部電源が正常に供給されている状態では、商用電源からの電力により蓄電池２４０を充電する。停電等により商用電力からの電力供給が停止されると、蓄電池２４０からの電力により第２光源部２２０を点灯させる。図４のように、第２点灯装置２３０は、光源設置台２２４の内側に配置される。
【００３８】
図９のように、蓄電池２４０は、略直方体形状をした蓄電池本体２４１と、蓄電池側接続部２４２を有している。蓄電池側接続部２４２は、蓄電池側電線２４２ａと、蓄電池側コネクタ２４２ｂを有している。蓄電池側コネクタ２４２ｂは第２点灯装置２３０の装置側コネクタ２３２ｂと接続している。蓄電池側電線２４２ａは蓄電池側コネクタ２４２ｂに接続している。実施の形態１では、蓄電池２４０は、図１０に示す収容部３００の内側に配置される。
【００３９】
図９のように、蓄電池カバー２６０は、矩形状の板であり、長手方向Ｘの両端が折り曲げられている。
【００４０】
図９に示す点検スイッチ２５０は、内側にスイッチ端子（図示していない）が実装された基板が配置された点検スイッチ本体２５１と、スイッチ端子と接続し点検スイッチ本体２５１から操作可能に突設した押し部２５２を有している。点検スイッチ２５０は、光源ユニット取付部２２５の一部に保持され、図１のように、押し部２５２がユニット外郭部２１０のスイッチ開口２１３ｂから突き出すように配置される。点検スイッチ２５０は、蓄電池２４０が正常か否かを点検するためのスイッチである。点検スイッチ２５０の押し部２５２が押されると、設定されている時間の間、蓄電池２４０の電力で第２光源部２２０の点灯が行われる。
【００４１】
＊＊＊組み立て方法の説明＊＊＊
第１光源ユニットと第２光源ユニットとを備えた照明装置の組み立て方法について説明する。
ここでは、第２光源ユニット２００を、第１光源ユニット１０から出射される光の出射方向に配置する組み立て方法について説明する。
【００４２】
（第２光源ユニット２００の取り付け機構）
図３、図４、及び、図９を参照して、第２光源ユニット２００の器具本体１００への取付機構に関して説明を行う。
（１）はじめに、図４のように、作業者は、電線５００を連通部１１２ａから外側に引き出しておく。さらに、図４のように、作業者は、非常用の第２光源ユニット２００のユニット底面部２１１の底面取付部２１１ｂを、本体凹部１１０の本体取付面１１１に当接させる。このとき、作業者は、本体取付面１１１の電源孔１１１ａと底面電源孔２１１ｂａとが連通するようにユニット底面部２１１を配置する。底面取付部２１１ｂは、本体取付面１１１の短手方向Ｙにおける長さと略同等に形成されている。よって、底面取付部２１１ｂは、本体取付面１１１の短手方向Ｙの略全長において、本体取付面１１１と当接する。
（２）次に、作業者は、ユニット底面部２１１の第一固定孔２１１ｂｂと、第二固定孔２１１ｂｃとを、本体凹部１１０の第一器具側固定孔１１１ｂｂと、第二器具側固定孔１１１ｂｃとに連通させて、連通した状態で、その４箇所を取付部材（ネジ、リベット等）でユニット底面部２１１を本体取付面１１１に取り付ける。
（３）次に、作業者は、第１光源ユニット１０を器具本体１００へ取り付ける。
（４）次に、作業者は、電線５００を、電線孔２２５ｃから外側に引き出し、電線孔２２５ｄから内側に差し込み、電線５００を第２点灯装置２３０に接続する。さらに、作業者は、ユニット底面部２１１の側面取付部２１１ｃ・２１１ｄの第３固定孔２１１ｂｄと、第４固定孔２１１ｂｅとを、光源ユニット取付部２２５の第１側固定孔２２５ａと、第２側固定孔２２５ｂとに連通させる。そして、連通した状態でその２箇所を取付部材（ねじ等）で第２光源ユニット２００を本体取付面１１１へ取り付ける。これにより、第２光源ユニット２００は本体取付面１１１に固定される。この実施の形態では取付部材としてねじ６０１を用いている（図３）。
【００４３】
以上のような取付工程で、第２光源ユニット２００は、本体凹部１１０に固定される。第２光源ユニット２００が本体凹部１１０に固定された状態では、以下の（１）〜（２）の状態となっている。
（１）本体取付面１１１の法線方向視における第１光源ユニット１０のカバー１３のＺ方向の投影範囲内に、第２光源ユニット２００のユニットカバー部２１２の少なくとも一部が位置する様に、第２光源ユニット２００が固定されている。
（２）本体取付面１１１の短手方向Ｙの略全長において、底面取付部２１１ｂは本体取付面１１１に当接している。
【００４４】
上記の（１）、（２）の取付構成によって、第２光源ユニット２００を、安定して本体凹部１１０に取り付けすることができる。つまり、上記（１）では、本体取付面１１１の短手方向Ｙにおける第一の側面部１１２側と第二の側面部１１３側の両方で第２光源ユニット２００を固定している。これにより、器具本体１００の短手外形中心に対し、第２光源ユニット２００の重心を近づけることができ、第２光源ユニット２００がＺ２方向（図１）へ垂れ下がることを抑制している。
上記（２）では“短手方向Ｙの略全長”で底面取付部２１１ｂが本体取付面１１１に当接することにより、第２光源ユニット２００の重量を本体凹部１１０に分担させ伝えることができるので、本体凹部１１０が部分的に変形するのを抑制できる。したがって、第２光源ユニット２００が、本体凹部１１０の部分的変形によってＺ２方向（図１）へ垂れ下がることを抑制できる。
上記（１）、（２）から第２光源ユニット２００の装着に伴い、照明器具１を被取付部に取り付けた際の器具取付姿勢をより安定させることができる。
【００４５】
加えて、ユニット底面部２１１にリブを設ける、あるいはヘミング加工の補強部を設けることで、ユニット底面部２１１の剛性をより高めて器具取付姿勢を安定させることができる。
【００４６】
（器具本体１００の配線に関して）
器具本体１００の配線に関して図１２を用いて説明を行う。本体凹部１１０の短手方向Ｙの側方に隣接するように、ユニット底面部２１１が配置されている。端子台１３０は、本体凹部１１０の電源孔１１１ａを略中心として、電源孔１１１ａよりもＸ２方向に位置する。このとき、端子台１３０は出力端子１３１ｂがＸ２方向側、つまり長手方向Ｘの外向きになるよう配置されている。また、第一の側面部１１２には、電線５００を通線する連通部１１２ａ（図９）が設けられている。
連通部１１２ａは、第１光源ユニット１０に第２光源ユニット２００を搭載しない場合には、不要な貫通孔である。したがって、通常は、第一の側面部１１２の連通部１１２ａは塞いでおくことが望ましい。このため、第一の側面部１１２の連通部１１２ａを形成する部分にノックアウト加工を施し、打ち抜きがしやすくしておく。
第２光源ユニット２００を搭載する場合、第一の側面部１１２の連通部１１２ａを形成する部分をポンチ又はドライバ等の先端がとがった道具でパンチングすることにより、連通部１１２ａを形成する。
【００４７】
図１２に示す配線の構成は、以下の（ａ）〜（ｃ）のようになる。
（ａ）電源孔１１１ａから引き込まれた電源線４００は、端子台１３０のＸ２方向側に設けられた入力端子１３１ａに接続されている。
（ｂ）電線５００の一端側が端子台１３０の出力端子１３１ｂに接続され、電線５００の他端側が、図４のように、連通部１１２ａと電線孔２２５ｃと電線孔２２５ｄとを通って第２光源ユニット２００の第２点灯装置２３０に接続されている。なお、端子台１３０の出力端子１３１ｂには、端子台側接続部１３２が接続されている。この端子台側接続部１３２は、第１光源ユニット１０の第１光源ユニット側接続部１６ｂと接続し、点灯装置１６に電力を供給する。
（ｃ）電線５００は収容部３００内において第２光源部２２０の基板２２２及び蓄電池２４０及び点検スイッチ２５０へ電力を供給するように接続されている。
【００４８】
（通常時の点灯動作に関して）
次に、通常時の点灯動作に関して説明を行う。通常時（商用電源からの電力供給が行われているとき）は、端子台１３０を介して点灯装置１６に電力を供給され第１光源ユニット１０は点灯する。このとき、第２点灯装置２３０は電源線４００を介して供給された電力を蓄電池２４０に供給し、蓄電池２４０を充電させる。
【００４９】
（非常時の点灯動作に関して）
次に、非常時の点灯動作に関して説明を行う。非常時は、点灯装置１６への電力供給が停止され、第１光源ユニット１０は消灯する。非常時とは停電等なんらかの理由で商用電源からの電力供給が停止されたときを意味する。
第２点灯装置２３０は電源線４００からの電力供給が停止されると、蓄電池２４０からの電力供給に切り替え、第２光源部２２０に電力を供給し、第２光源部２２０は点灯する。
【００５０】
＊＊＊構成の特徴＊＊＊
【００５１】
実施の形態１の照明装置１の特徴は、以下のとおりである。
照明装置１は、器具本体１００と、第１光源ユニット１０と、第２光源ユニット２００とを有する。
器具本体１００は、造営材（天井、壁等）へ取り付けるための本体取付面１１１を有する。
第１光源ユニット１０は、本体取付面１１１を覆うように器具本体１００に着脱可能に取り付けられる。
第１光源ユニット１０は、第１の電力供給系統（商用交流系統等→ＡＤ変換等）から供給される第１点灯電力によって点灯する。
第１光源ユニット１０は、光が出射される第１出光部（透光性のカバー１３の表面等）を有する。
第１光源ユニット１０の具体例は、長尺状の常用光源ユニットである。
第２光源ユニット２００は、第１光源ユニット１０を点灯する第１の電力供給系統とは異なる電力供給系統から供給される点灯電力によって点灯する。
第２光源ユニット２００は、第１点灯電力の供給が遮断された場合に第２の電力供給系統（非常用交流系統等→ＡＤ変換等、又は、蓄電池等の補助電源）から供給される第２点灯電力によって点灯する。
第２光源ユニット２００は、光が出射される第２出光部（レンズ２２３等）を有する。
第２光源ユニット２００の具体例は、非常用光源ユニットである。
第２光源ユニット２００は、第２出光部の周囲を覆うカバー部材としてユニットカバー部２１２を有する。
第２光源ユニット２００の少なくとも一部は、第１光源ユニット１０から出射される光の出射方向に配置されており、第１光源ユニット１０から出射される光の一部を遮る位置に配置されている。
第２光源ユニット２００は、本体取付面１１１の法線方向視における第１出光部（透光性のカバー１３の表面等）の投影範囲内に、第２光源ユニット２００の第２出光部（レンズ２２３）の周囲を覆うカバー部材（ユニットカバー部２１２）の少なくとも一部が位置するように配置される。
【００５２】
第１光源ユニット１０は、第１出光部に覆われた発光素子（ＬＥＤ等）を有しており、本体取付面１１１の法線方向（Ｚ２方向）において、発光素子（ＬＥＤ）を基準として，第２光源ユニット２００の少なくとも一部（ユニット底面部２１１等）は、第１出光部とは反対側に配置される。
第１光源ユニット１０と第２光源ユニット２００とは、本体取付面１１１の法線方向（Ｚ２方向）において、本体取付面１１１から異なる距離に配置されている。
第１光源ユニット１０は、光を出射する第１出光部を有し、第２光源ユニット２００は、第１出光部が出射した光の一部を遮る位置に配置されている。
第２光源ユニット２００は、ユニットカバー部２１２を有し、ユニットカバー部２１２の少なくとも一部が、第１光源ユニット１０から出射される光の出射方向に配置されている。
第２光源ユニット２００は、器具本体１００の他方の面に固定された底面取付部２１１ｂを有し、第２光源ユニット２００は、第１光源ユニット１０の長手方向Ｘの一部分の全周囲を覆っている。
第１光源ユニット１０は、光を出射する第１出光部（カバー１３）を備え、第２光源ユニット２００は、第１出光部が出射した光の一部を遮る位置に配置されている。
【００５３】
第１光源ユニット１０は共通本体となる器具本体１００に組込まれる。
第２光源ユニット２００は共通本体となる器具本体１００に固定される。
共通本体となる器具本体１００は、長尺形状であって、その断面は略コの字状であり、第１光源ユニット１０の一部分を収納できる領域を有する。逆に、共通本体となる器具本体１００は、第２光源ユニット２００を全く収納することなく、第２光源ユニット２００を外部に固定している。
第１光源ユニット１０の中央部分に、第２光源ユニット２００の光源部が載置されている。
第１光源ユニット１０の外郭と、第２光源ユニット２００の光源部の裏面とは、間に隙間があり、物理的に後触していない。
第２光源ユニット２００の発光部分が、第１光源ユニット１０のＸ方向とＹ方向との中心部において、第１光源ユニット１０と高さ方向に重なっている。
【００５４】
＊＊＊実施の形態１の効果＊＊＊
（１）実施の形態１の照明装置１では、器具本体１００を被取付面に取り付けるための本体取付面１１１と、第１光源ユニット１０を保持する本体凹部１１０と、第２光源ユニット２００とを備えている。本体取付面１１１の法線方向視における第１光源ユニット１０の第１出光部（カバー１３）の投影範囲内に、第２光源ユニット２００のユニットカバー部２１２の少なくとも一部が位置することで、器具本体１００の短手外形中心に対し、第２光源ユニット２００の重心を近づけることができる。その結果、第２光源ユニット２００が被取付面に対して垂れ下がって傾くことを抑制できる。
（２）また、第２光源ユニット２００の収容部３００は本体凹部１１０の下に配置されていることよって、第２光源ユニット２００を設けるに際して、長手方向Ｘに隣接して収容部３００を設ける場合のように、照明装置１の長手方向の全長を長くしたり、あるいは光源ユニットの全長を短くしたりしなくてよい。また、照明装置１は、照明装置１の長手方向Ｘの長さと略同等の長さを有する第１光源ユニット１０を用いることができるので、第２光源ユニット２００を設ける場合であっても、第２光源ユニット２００を設けていない場合と同様の発光面積を維持することができる。
（３）また、器具本体１００は、第１光源ユニット１０が取り付けられる本体凹部１１０と、第２光源ユニット２００を別体で設けている。非常時の光源となる構成部材を、第２光源ユニット２００として本体凹部１１０と別体で形成することにより、照明装置の組み立て性を向上できる。
（４）また、第１光源ユニット１０と第２光源ユニット２００とが別体であるので、ユニット外郭部２１０は、本体凹部１１０と異なる材料で形成できる。よって、第２光源ユニット２００は、非常用光源として、防火性に優れた材料等、用途に応じた材料で構成することができる。また、ユニット外郭部２１０のみを特定用途材料で構成することで、器具本体１００を全て特定用途材料で構成するよりもコストを抑制することができる。
（５）また、配線構成は上記（ａ）〜（ｃ）のようにすることで、電線５００、各部材、電源線４００のそれぞれが互い干渉するのを抑制できる。凹部に収容される電線、配線具との干渉を回避できる。
（６）また、本体取付面１１１の法線方向視における第１出光部（透光性のカバー１３の表面等）の投影範囲内に第２出光部の周囲を覆うカバー部材（ユニットカバー部２１２）の少なくとも一部が位置するように配置し、器具本体の短手外形中心に対し、第２光源ユニットの重心を近づける。その結果、被取付部に取り付けた際の器具取付姿勢をより安定させることができる。
（７）また、第１光源ユニット１０の器具中央部分に電源孔１１１ａを確保しつつ、第２光源ユニット２００を器具中央部に配置することができる。既存製品は非常点灯部分を第１光源ユニット１０の周囲に隣接配置することで、中央部に電源線引込穴を確保しているが、本実施の形態では、中央部分に電源引込穴と非常点灯光源の両方を配置することができる。
（８）また、第１光源ユニット１０と第２光源ユニット２００とを、天地方向（Ｚ方向）に重ねる２層構造とし、かつ、互いに接触しない位置関係に配置するので、第１光源ユニット１０は、常用点灯用ユニットがそのまま使用可能である。
（９）本実施の形態の照明装置１は、第１光源ユニット１０に対して第２光源ユニット２００を重ねて配置することにより、第２光源ユニット２００が第１光源ユニット１０からの光を遮るというデメリットが存在する。しかし、第１光源ユニット１０に対して第２光源ユニット２００を重ねて配置することにより、第１光源ユニット１０と第２光源ユニット２００とを分離独立させることができ、第１光源ユニット１０と器具本体１００とに何ら設計上の変更を加える必要がないというメリットが存在する。
【００５５】
実施の形態２．
本実施の形態では、前述した実施の形態と異なる点について説明する。
本実施の形態において、実施の形態１と同様の部分は同符号を付し、説明を省略する。
【００５６】
＊＊＊構成の説明＊＊＊
本実施の形態は、実施の形態１に示す器具本体１００と第２光源ユニット２００の構造と器具本体１００への取り付け機構が異なるものである。
【００５７】
（第２光源ユニット２００に関して）
図１３〜図１８を参照して実施に形態２における第２光源ユニット２００を説明する。第２光源ユニット２００は、ユニット外郭部２１０、第２光源部２２０、第２点灯装置２３０、蓄電池２４０、及び、点検スイッチ２５０を備えている。ユニット外郭部２１０は、略コ字形状であり外郭をなす。第２光源部２２０は、ユニット外郭部２１０の内側に収容され、非常用光源の機能を果たす。また、図示しないが、第２光源ユニット２００は、蓄電池２４０が正常に充電されているかどうか表示するモニタ用ランプを備えている。
【００５８】
ユニット外郭部２１０は、本体凹部１１０の本体取付面１１１と短手方向に並ぶように配置されるユニット底面部２１１と、蓋のない略箱形状をしたユニットカバー部２１２とを有している。ユニット外郭部２１０は不燃材により形成されており、この実施の形態では、ユニット外郭部２１０は金属部材で形成されている。
【００５９】
ユニット外郭部２１０のうち、ユニット底面部２１１とユニットカバー部２１２とユニット収容部２５３により、第２点灯装置２３０及び蓄電池２４０等の各部品を収納する収容部３００を構成する。
【００６０】
図１４のように、実施の形態２では光源ユニット取付部２２５がユニットカバー部２１２の蓋の役割を持ち、ユニット収容部２５３はユニットカバー部２１２及び光源ユニット取付部２２５からなる収容部３００を底面配置部２１１ａを介して本体凹部１１０に取り付ける役割を持つ。収容部３００内には、第２光源部２２０が配置される。底面取付部２１１ｂでは、本体取付面１１１に対向する当接面２１１ｂ−１が、本体取付面１１１に突き当たった状態で接しており、底面取付部２１１ｂが本体取付面１１１の固定されることで、第２光源ユニット２００が本体凹部１１０に固定される。図１４のように、底面取付部２１１ｂは、電源孔１１１ａと連通する底面電源孔２１１ｂａと、第二の側面部１１３側に形成された第一固定孔２１１ｂｂと、第一の側面部１１２側に形成された第二固定孔２１１ｂｃを有する。
【００６１】
図１５のように、蓄電池２４０は、略直方体形状をした蓄電池本体２４１と、蓄電池側接続部２４２を有している。蓄電池側接続部２４２は、蓄電池側電線２４２ａと、蓄電池側コネクタ２４２ｂを有している。蓄電池側コネクタ２４２ｂは第２点灯装置２３０の装置側コネクタ２３２ｂと接続している。蓄電池側電線２４２ａは蓄電池側コネクタ２４２ｂに接続している。実施の形態２では、蓄電池２４０は、図１５に示すように、本体凹部１１０の内側に配置される。
【００６２】
器具本体１００に点灯装置１６を設ける場合は、図１７における長手方向Ｘにおいて、点灯装置１６を第２光源ユニット２００よりもＸ２方向に設置し、かつ、点灯装置１６を端子台１３０よりＸ１方向に設置し、点灯装置１６と蓄電池２４０とが干渉しないようにする。
【００６３】
図１５と図１６のように、ユニットカバー部２１２とユニット収容部２５３に可動部２５４を設ける。可動部２５４は、ユニットカバー部２１２をユニット収容部２５３に対して回転させる機構である。可動部２５４を設けることにより、第１光源ユニットを器具本体１００に着脱する際の作業性を向上させることができる。
【００６４】
＊＊＊組み立て方法の説明＊＊＊
（第２光源ユニット２００の取り付け機構）
図１６〜図１８を参照して、実施の形態２における第２光源ユニット２００の器具本体１００への取付機構に関して説明を行う。
（１）はじめに、図１７のように、作業者は、非常用の第２光源ユニット２００のユニット底面部２１１の底面取付部２１１ｂを、本体凹部１１０の本体取付面１１１に当接させる。このとき、作業者は、本体取付面１１１の電源孔１１１ａと底面電源孔２１１ｂａとが連通するようにユニット底面部２１１を配置する。底面取付部２１１ｂは、本体取付面１１１の短手方向Ｙにおける長さと略同等に形成されている。よって、底面取付部２１１ｂは、本体取付面１１１の短手方向Ｙの略全長において、本体取付面１１１と当接する。
（２）次に、作業者は、ユニット底面部２１１の第一固定孔２１１ｂｂと、第二固定孔２１１ｂｃとを、本体凹部１１０の第一器具側固定孔１１１ｂｂと、第二器具側固定孔１１１ｂｃとに連通させる。そして、連通した状態で、ユニット底面部２１１の４箇所を取付部材（ネジ、リベット等）でユニット底面部２１１を本体取付面１１１に取り付ける。
（３）次に、ユニット底面部２１１の第３固定孔２１１ｂｄと、第４固定孔２１１ｂｅとを、ユニット収容部２５３の図示しない第１固定孔と、第２側固定孔とに連通させて、連通した状態でその２箇所を取付部材（ねじ等）で取り付ける。これにより、第２光源ユニット２００は本体取付面１１１に固定される。この実施の形態では取付部材としてねじ６０２を用いている（図１８）。
【００６５】
以上のような取付工程で、第２光源ユニット２００は、本体凹部１１０に固定される。第２光源ユニット２００が本体凹部１１０に固定された状態では、以下の（１）〜（２）の状態となっている。
（１）本体取付面１１１の法線方向視における第１光源ユニット１０のカバー１３の投影範囲内に、第２光源ユニット２００のユニットカバー部２１２の少なくとも一部が位置する様に、第２光源ユニット２００が固定されている。
（２）本体取付面１１１の短手方向Ｙの略全長において、底面取付部２１１ｂは本体取付面１１１に当接している。
【００６６】
＊＊＊実施の形態２の効果の説明＊＊＊
実施の形態２によれば、第２光源ユニット２００を、安定して本体凹部１１０に取り付けすることができる。つまり、上記（１）では、第２光源ユニットの構成部品の一部（畜電池２４０等）を、本体凹部１１０の内側に配置することで第２光源ユニットの質量を分散し、且つ、第２光源部２２０を器具本体１００の短手外形中心に対して近づけることができる。その結果、本体凹部１１０の外部に配置された第２光源ユニットの重心位置を、短手外形中心に対して近づけることができ、第２光源ユニット２００がＺ２方向（図１３）へ垂れ下がることを抑制している。
上記（２）では、“短手方向Ｙの略全長”で底面取付部２１１ｂが本体取付面１１１に当接することにより、第２光源ユニット２００の重量を本体凹部１１０に分担させ伝えることができるので、本体凹部１１０が部分的に変形するのを抑制できる。したがって、第２光源ユニット２００が、本体凹部１１０の部分的変形によってＺ２方向（図１３）へ垂れ下がることを抑制できる。
上記（１）、（２）から第２光源ユニット２００の装着に伴い、照明器具１を被取付部に取り付けた際の器具取付姿勢をより安定させることができる。
【００６７】
実施の形態３．
本実施の形態では、前述した実施の形態と異なる点について説明する。
本実施の形態において、実施の形態１と同様の部分は同符号を付し、説明を省略する。
【００６８】
＊＊＊構成の説明＊＊＊
本実施の形態では、器具本体１００はトラフ型形状をした本体凹部１１０を説明したが、図１９に示すような逆富士型形状の照明装置１Ａでもよいし、図２０に示すような埋込み型形状の照明装置１Ｂでもよい。
【００６９】
また、図２０の埋込み型形状の場合のように、非常用の第２光源ユニット２００の第２光源部２２０の高さ寸法Ｈ（Ｂ）を大きくし、反射部１１４から突き出すようにしてもよい。図２０のように、照明装置１Ｂの第２光源部２２０Ｂは、収容部２００Ｂから突き出しており、反射部１１４は、第２光源部２２０Ｂが突き抜ける領域が切除されている。
【００７０】
＊＊＊実施の形態３の効果の説明＊＊＊
実施の形態３の照明装置１によれば、逆富士型形状及び埋込み型形状の照明装置でも、第１光源ユニット１０の発光面積を維持することができる。
また、第２光源部２２０を反射部１１４から突き出すようにすることにより、第２光源部２２０の配光特性を確保することができる。
【００７１】
実施の形態４．
本実施の形態では、前述した実施の形態と異なる点について説明する。
本実施の形態において、実施の形態１と同様の部分は同符号を付し、説明を省略する。
【００７２】
＊＊＊構成の説明＊＊＊
図２１のように、第２光源ユニット２００は、第１光源ユニット１０の長手方向Ｘの一部分の３面を覆っていてもよい。
図２１では、ユニット外郭部２１０は、第１光源ユニット１０の長手方向Ｘの中央部の前面と後面と片側面を覆っている。
図２１では、第２光源ユニット２００のユニット底面部２１１の断面形状がＬ字形状をしており、側面取付部２１１ｃは存在するが側面取付部２１１ｄは存在しない。
【００７３】
図２２のように、第２光源ユニット２００は、第１光源ユニット１０の長手方向Ｘの一部分の３面を覆っていてもよい。
図２２では、第２光源ユニット２００のユニットカバー部２１２が、第１光源ユニット１０の長手方向Ｘの中央部の前面を覆い、光源設置台２２４が、第１光源ユニット１０の長手方向Ｘの中央部の両側面を覆っている。
図２２では、ユニット底面部２１１は存在せず、光源設置台２２４が、ねじ６０１により第一の側面部１１２と第二の側面部１１３とに固定されている。
図２２において、照明装置１は、第１光源ユニット１０を取り付けた器具本体１００を有し、第２光源ユニット２００は、器具本体１００の両側の側面部に固定されている。
【００７４】
図２３のように、第２光源ユニット２００は、第１光源ユニット１０の長手方向Ｘの一部分の２面を覆っていてもよい。
図２３では、第２光源ユニット２００のユニットカバー部２１２が、第１光源ユニット１０の長手方向Ｘの中央部の前面を覆い、光源設置台２２４の片面が、第１光源ユニット１０の長手方向Ｘの中央部の片側面を覆っている。
図２３では、ユニット底面部２１１は存在せず、光源設置台２２４が、ねじ６０１により第１の側面部のみに固定されている。
図２３において、照明装置は、第１光源ユニット１０を取り付けた器具本体１００を有し、第２光源ユニット２００は、器具本体１００の片側の側面部に固定されている。
【００７５】
＊＊＊実施の形態４の効果の説明＊＊＊
実施の形態４の照明装置１によれば、第２光源ユニット２００が第１光源ユニット１０の全周を囲まないので、第２光源ユニット２００が第１光源ユニット１０からの光を遮る範囲が小さくなる。
【００７６】
実施の形態５．
本実施の形態では、前述した実施の形態と異なる点について説明する。
本実施の形態において、実施の形態１と同様の部分は同符号を付し、説明を省略する。
【００７７】
＊＊＊構成の説明＊＊＊
図２４の（ａ）のように、照明装置１’と照明装置１”を長手方向Ｘの方向に連結した照明装置でもよい。
照明装置１’と照明装置１”とを連結するときには、端板部１２０から端板蓋部１２１を外すことで、電源線５００等を照明装置１’から隣接する照明装置１”に引き込んでもよい。
図２４では、照明装置１’と照明装置１”とに、第２光源ユニット２００がそれぞれ存在している。第２光源ユニット２００は、照明装置１’と照明装置１”との両方に存在してもよいし、一方のみに存在してもよい。
【００７８】
図２４の（ｂ）のように、照明装置１’と照明装置１”とを連結し、連結部分に第２光源ユニット２００を配置した照明装置でもよい。
ユニット底面部２１１は、片方の第３固定孔２１１ｂｄと片方の第４固定孔２１１ｂｅとにより照明装置１’の器具本体１００の本体取付面１１１にネジ止めされ、他方の第３固定孔２１１ｂｄと他方の第４固定孔２１１ｂｅとにより照明装置１”の器具本体１００の本体取付面１１１にネジ止めされる。
【００７９】
＊＊＊実施の形態５の効果の説明＊＊＊
実施の形態５の照明装置１によれば、連結された複数の照明装置の少なくともいずれか一つの照明装置に対して、選択的に、第２光源ユニット２００を取り付けることができる。
また、複数の照明装置の連結部分に第２光源ユニット２００を配置すれば、連結部分が第２光源ユニット２００により覆われ、照明装置１’と照明装置１”とを連結したことが判別できなくなり、照明装置の意匠性が向上する。
【００８０】
実施の形態６．
本実施の形態では、前述した実施の形態と異なる点について説明する。
本実施の形態において、実施の形態１と同様の部分は同符号を付し、説明を省略する。
【００８１】
＊＊＊構成の説明＊＊＊
図２５のように、照明装置１のカバー１３が、複数のカバー１３ｄを有していてもよい。
図２５では、２個のカバー１３ｄを長手方向Ｘに配置し、複数のカバー１３ｄの接続部分を隠すように、第２光源ユニット２００が存在している。
２個のカバー１３ｄの間から電線５００が引き出されている。
【００８２】
図２６は、図２５に示す照明装置１の断面図である。
図２６に示すように、電線５００は、フレーム１２のフレーム側面部１２ｂを回り込み、２個のカバー１３ｄの端面の間を通り、収容部３００に引きこまれる。
【００８３】
図２５に示す照明装置１は、第１出光部となるカバー１３が、複数の出光域となる複数のカバー１３ｄを有している。
第２光源ユニット２００の第２出光部は、本体取付面１１１の法線方向視における出光域（複数のカバー１３ｄの表面等）の少なくともいずれかの投影範囲内にカバー部材（ユニットカバー部２１２）の少なくとも一部が位置するように配置されている。
【００８４】
図２７のように、照明装置１のカバー１３が、長手方向Ｘに分離した２個のカバー１３ｄを有していてもよい。
２個のカバー１３ｄの間の距離は、第２光源ユニット２００の長手方向Ｘの長さと同じである。
第２光源ユニット２００は、２個のカバー１３ｄの間に配置されており、２個のカバー１３ｄからなるカバー１３のＺ方向の投影範囲に配置されている。
図２７に示す照明装置１も、２個のカバー１３ｄの間から電線５００を引き出すことができる。
【００８５】
図２８は、図２７に示す照明装置１の断面図である。
図２８に示すように、長手方向Ｘから見て、カバー１３ｄと第２光源ユニット２００とはオーバラップしている。
第２光源ユニット２００の第２出光部は、本体取付面１１１の法線方向視における発光域（複数のカバー１３ｄからなるカバー１３等）の投影範囲内にカバー部材（ユニットカバー部２１２）の少なくとも一部が位置するように配置されている。
【００８６】
以上のように、実施の形態６の照明装置１の第１光源ユニット１０は、光を出射する複数の出光域からなる第１出光部を備え、第２光源ユニット２００は、複数の出光域からなる第１出光部が出射した光の一部を遮る位置に配置されている。
【００８７】
＊＊＊実施の形態６の効果の説明＊＊＊
実施の形態６の照明装置１によれば、複数のカバー電線５００の配線作業が容易になる。
また、第２光源ユニット２００を２個のバー１３ｄで挟むことにより、第２光源ユニット２００のカバー１３ｄからの突出高さを低減することができ、照明装置１の意匠性が向上する。
【００８８】
実施の形態７．
本実施の形態では、前述した実施の形態と異なる点について説明する。
本実施の形態において、実施の形態１と同様の部分は同符号を付し、説明を省略する。
【００８９】
＊＊＊構成の説明＊＊＊
図２９のように、照明装置１がサブユニット７００を有し、長手方向Ｘにおいて、第２光源ユニット２００がサブユニット７００と同じ位置に配置されてもよい。
サブユニット７００の具体例は以下のとおりである。
１．温度センサユニット、
２．湿度センサユニット、
３．人感センサユニット、
４．調光ユニット、
５．点灯スイッチユニット、
６．点検スイッチユニット、
７．マイクユニット、
８．スピーカーユニット、
９．ブザーユニット、
１０．無線通信ユニット、
１１．近距離通信ユニット、
１２．赤外線発信ユニット、
１３．赤外線発信ユニット、
１４．アンテナユニット、
１５．上記ユニットを組み合わせた複合ユニット。
【００９０】
照明装置１の第１光源ユニット１０は少なくとも１つのサブユニット７００を有している。
第２光源ユニット２００は、本体取付面１１１の法線方向視におけるサブユニット７００の配置部分にカバー部材（ユニットカバー部２１２）の少なくとも一部が位置するように配置されている。
第２光源ユニット２００の少なくとも一部は、サブユニット７００の配置部分に対して、第１光源ユニット１０から出射される光の出射方向に配置されている。
【００９１】
＊＊＊実施の形態７の効果の説明＊＊＊
実施の形態７の照明装置１によれば、第２光源ユニット２００とサブユニット７００とを重ねて配置しているので、第１光源ユニット１０の発光面積を維持することができる。
【００９２】
実施の形態８．
本実施の形態では、前述した実施の形態と異なる点について説明する。
本実施の形態において、実施の形態１と同様の部分は同符号を付し、説明を省略する。
【００９３】
＊＊＊構成の説明＊＊＊
図３０の（ａ）ように、第２光源ユニット２００を第１光源ユニット１０の端部に配置してもよい。
器具本体１００は、第２光源ユニット２００を選択的に固定する複数の固定孔を有する。
すなわち、器具本体１００の本体取付面１１１の長手方向Ｘの複数個所にあらかじめ第２光源ユニット２００を固定する固定孔を形成しておく。
第２光源ユニット２００は、第１光源ユニット１０と独立しているので、複数の固定孔から所望の固定孔を選択することにより、第２光源ユニット２００を第１光源ユニット１０の長手方向Ｘの任意の位置に配置することができる。
【００９４】
図３０の（ｂ）ように、第２光源ユニット２００を第１光源ユニット１０の端部に配置してもよい。
器具本体１００のの第一の側面部１１２と第二の側面部１１３との長手方向Ｘの両端にあらかじめ第２光源ユニット２００を固定する固定孔を形成しておく。
第２光源ユニット２００は、第１光源ユニット１０と独立しているので、第２光源ユニット２００を第１光源ユニット１０の長手方向Ｘの両端のいずれの位置にでも配置することができる。
【００９５】
図示しないが、１個の第１光源ユニット１０に、複数の第２光源ユニット２００が配置されてもよい。
【００９６】
＊＊＊実施の形態８の効果の説明＊＊＊
実施の形態８の照明装置１によれば、第２光源ユニット２００を照明装置１の任意の位置に選択的に固定することができる。
【００９７】
＊＊＊補足説明＊＊＊
前述した実施の形態では、第１光源ユニット１０が連結具１５と点灯装置１６とを有し、器具本体１００がバネ１４０を有している形状について説明を行った。しかし、第１光源ユニット１０がバネ１４０を有し、器具本体１００が連結具１５と点灯装置１６とを有する構成でもよい。
【００９８】
前述した実施の形態では、電源孔１１１ａが本体凹部１１０の長手方向Ｘにおける略中央に設けられる形状に関して説明を行ったが、電源孔１１１ａが形成される位置は長手方向Ｘにおける略中央でなくてよい。
【００９９】
前述した実施の形態では、器具本体１００が本体凹部１１０の下方向に第２光源ユニット２００の収容部３００が配置される形状に関して説明を行った。
収容部３００には、第２光源ユニット２００を構成する第２光源部２２０、第２点灯装置２３０、蓄電池２４０、点検スイッチ２５０等を収容しているが、これら全部ではなくて、非常用の第２光源ユニット２００を構成する第２光源部２２０等の少なくともいずれかが収容されてもよい。
また、収容部３００には、非常用光源ユニットの構成部品ではない何らかの部品を収容してもよい。何らかの部品として、センサ、プルスイッチ等の機能部品、あるいは電装品を収納してもよい。
【０１００】
前述した本実施の形態では、ユニット底面部２１１が底面配置部２１１ａと底面取付部２１１ｂを有している形状を説明したが、底面配置部２１１ａと底面取付部２１１ｂを別々に設けてもよい。
【０１０１】
前述した本実施の形態において、ユニット外郭部２１０を光透過性を有する材料で構成すれば、常用点灯時に第２光源ユニット２００で遮られる光のロスを低減することができる。特に、ユニットカバー部２１２を、ガラス又は透明樹脂等の光透過性を有する材料で構成することが望ましい。
また、ユニット外郭部２１０を箱状ではなくパイプフレームで構成すれば、常用点灯時に第２光源ユニット２００で遮られる光のロスを低減することができる。特に、ユニットカバー部２１２を、金属、ガラス又は透明樹脂等のパイプフレームで構成することが望ましい。
【符号の説明】
【０１０２】
１，１’，１”，１Ａ，１Ｂ  照明装置、１０  第１光源ユニット、１１  発光体、１１ａ  発光素子、１１ｂ  基板、１２  フレーム、１２ａ  フレーム正面部、１２ａａ  取付面、１２ａｂ  背面、１２ｂ  フレーム側面部、１３，１３ｄ  カバー、１３ａ  円弧部、１３ｂ  把持部、１３ｃ  係合部、１４  光源蓋部、１５  連結具、１５ａ  連結具固定部、１５ｂ  連結部、１５ｂａ  連結具開口部、１５ｂａａ  縁、１６  点灯装置、１６ａ  点灯装置本体、１６ｂ  第１光源ユニット側接続部、１６ｂａ  第１光源ユニット側電線、１６ｂｂ  第１光源ユニット側コネクタ、１００  器具本体、１１０  本体凹部、１１１  本体取付面、１１１ａ  電源孔、１１１ｂ  取付孔、１１１ｂｂ  第一器具側固定孔、１１１ｂｃ  第二器具側固定孔、１１２  第一の側面部、１１２ａ  連通部、１１３  第二の側面部、１１４  反射部、１２０  端板部、１２１  端板蓋部、１３０  端子台、１３１  端子台本体、１３１ａ  入力端子、１３１ｂ  出力端子、１３２  端子台側接続部、１３２ａ  端子台側電線、１３２ｂ  端子台側コネクタ、１４０  バネ、１４１  バネ円弧部、１４２  バネ固定部、１４３  バネ爪部、２００  第２光源ユニット、２１０  ユニット外郭部、２１１  ユニット底面部、２１１ａ  底面配置部、２１１ａ−１，２１１ａ−２  配置面、２１１ｂ  底面取付部、２１１ｂ−１  当接面、２１１ｂａ  底面電源孔、２１１ｂｂ  第一固定孔、２１１ｂｃ  第二固定孔、２１１ｂｄ  第３固定孔、２１１ｂｅ  第４固定孔、２１１ｃ，２１１ｄ  側面取付部、２１２  ユニットカバー部、２１３  ユニット正面部、２１３ａ  レンズ開口、２１３ｂ  スイッチ開口、２１３ｃ  モニタランプ開口部、２１４，２１４−１，２１４−２，２１４−３，２１４−４  ユニット側面部、２１５  器具隣接壁部、２２０，２２０Ｂ  第２光源部、２２１  発光素子、２２２  基板、２２３  レンズ、２２４  光源設置台、２２５  光源ユニット取付部、２２５ａ  第１側固定孔、２２５ｂ  第２側固定孔、２２５ｃ，２２５ｄ  電線孔、２２５−１，２２５−２  取付部側面部、２２６  熱伝導素子、２３０  第２点灯装置、２３１  第２点灯装置本体、２３２  装置側接続部、２３２ａ  装置側電線、２３２ｂ  装置側コネクタ、２４０  蓄電池、２４１  蓄電池本体、２４２  蓄電池側接続部、２４２ａ  蓄電池側電線、２４２ｂ  蓄電池側コネクタ、２５０  点検スイッチ、２５１  点検スイッチ本体、２５２  押し部、２５３  ユニット収容部、２５４  可動部、２６０  蓄電池カバー、３００  収容部、４００  電源線、５００  電線、６０１，６０２  ねじ、７００  サブユニット、Ｘ  長手方向、Ｙ  短手方向。
【図１】
2019175614.tif 000003
【図２】
2019175614.tif 000004
【図３】
2019175614.tif 000005
【図４】
2019175614.tif 000006
【図５】
2019175614.tif 000007
【図６】
2019175614.tif 000008
【図７】
2019175614.tif 000009
【図８】
2019175614.tif 000010
【図９】
2019175614.tif 000011
【図１０】
2019175614.tif 000012
【図１１】
2019175614.tif 000013
【図１２】
2019175614.tif 000014
【図１３】
2019175614.tif 000015
【図１４】
2019175614.tif 000016
【図１５】
2019175614.tif 000017
【図１６】
2019175614.tif 000018
【図１７】
2019175614.tif 000019
【図１８】
2019175614.tif 000020
【図１９】
2019175614.tif 000021
【図２０】
2019175614.tif 000022
【図２１】
2019175614.tif 000023
【図２２】
2019175614.tif 000024
【図２３】
2019175614.tif 000025
【図２４】
2019175614.tif 000026
【図２５】
2019175614.tif 000027
【図２６】
2019175614.tif 000028
【図２７】
2019175614.tif 000029
【図２８】
2019175614.tif 000030
【図２９】
2019175614.tif 000031
【図３０】
2019175614.tif 000032